(57)【要約】      （修正有）【課題】その製作を簡単、便利且つ速やかに行えるようにさせ、構造をもっと強固にさせる複合材料構造体を提供する。【解決手段】上面に複数の凹槽１０を有し、該凹槽１０に槽底面１１と該槽底面１１の周縁から上面に延伸する槽壁面１２とを形成する基材１と、熱可塑性材質であり、その上半部が耐熱層２０に形成させ、その下半部が低温溶融層２１に形成させる面材２とからなる複合材料構造体において、該低温溶融層２１の融点が該耐熱層２０より低くなり、該面材２を該基材１の上面に置き、該耐熱層２０が溶融せずに軟化状態にするが該低温溶融層２１が溶融するまで該面材２を加熱し、さらに負圧の作用に合せることにより、該低温溶融層２１が該基材１の接触面にある毛穴に染み込ませる及び該耐熱層２０が該基材１の上面の形状に沿って伸びさせて該基材１の上面、及び該複数の凹槽１０の槽壁面１２と槽底面１１を被覆させることを特徴とする。【選択図】図１
0003196075.tif 000002
【実用新案登録請求の範囲】
【請求項１】
上面に複数の凹槽を有し、各凹槽に槽底面と該槽底面の周縁から上面に延伸する槽壁面とを形成する基材と、
熱可塑性材質であり、その上半部が耐熱層に形成させ、その下半部が低温溶融層に形成させる面材とからなる複合材料構造体において、
該低温溶融層の融点が該耐熱層より低くなり、該面材を該基材の上面に置き、該耐熱層が溶融せずに軟化状態にするが該低温溶融層が溶融するまで該面材を加熱し、さらに負圧の作用に合せることにより、該低温溶融層が該基材の接触面にある毛穴に染み込ませる及び該耐熱層が該基材の上面の形状に沿って伸びさせて該基材の上面、該複数の凹槽の槽壁面、及び該凹槽の槽底面を被覆させることを特徴とする複合材料構造体。
【請求項２】
該面材と該基材とが結合された後に、通気性を具有させるように、針プレートを利用して該複合材料に上下を貫通する複数のミクロ細孔を穿設することを特徴とする請求項１に記載の複合材料構造体。
【請求項３】
該ミクロ細孔の穴径は０．００１ｍｍ〜１．０ｍｍであることを特徴とする請求項２に記載の複合材料構造体。
【請求項４】
該低温溶融層の融点は該耐熱層より２０℃以上低いことを特徴とする請求項１又は２に記載の複合材料構造体。
【請求項５】
該面材の材質はＴＰＵ、ＥＶＡ、ＰＵ、又はＴＰＲから任意の一つを選択することを特徴とする請求項１又は２に記載の複合材料構造体。
【請求項６】
該面材の上面には複数の３次元模様を有することを特徴とする請求項１又は２に記載の複合材料構造体。
【請求項７】
さらに該面材の該耐熱層の上面に結合されて被覆される表面層を有することを特徴とする請求項１に記載の複合材料構造体。
【請求項８】
さらに該面材の該耐熱層の上面に結合されて被覆される表面層を有し、該複数のミクロ細孔が該表面層を貫通することを特徴とする請求項２に記載の複合材料構造体。
【請求項９】
該表面層はめっき膜、レーザーフィルム、又は反射膜から任意の一つを選択することを特徴とする請求項７又は８に記載の複合材料構造体。
【請求項１０】
該基材は布地であることを特徴とする請求項１又は２に記載の複合材料構造体。
【請求項１１】
該布地の材質は織布、不織布、又はニードルパンチド布から任意の一つを選択することを特徴とする請求項１０に記載の複合材料構造体。
【請求項１２】
該基材はフォーム材料であることを特徴とする請求項１又は２に記載の複合材料構造体。
【請求項１３】
該基材の該複数の凹槽の槽底面は貫通状であることを特徴とする請求項１又は２に記載の複合材料構造体。
【請求項１４】
該基材が第一層と第二層を含み、
該複数の凹槽が該第一層の上面に形成され、該第二層の上面が該第一層の下面に結合され、該複数の凹槽の該槽底面を密閉状態にさせ、該面材が熱溶融されて該第一層の上面に結合され、該複数の凹槽の槽壁面及び該第二層の上面が該凹槽の該槽底面の箇所に対応することを特徴とする請求項１又は２に記載の複合材料構造体。
【請求項１５】
該第一層と該第二層の中に、一つが布地であり、もう一つがフォーム材料であることを特徴とする請求項１４に記載の複合材料構造体。
【請求項１６】
該基材はさらに第三層を含み、該第三層の上面が該第二層の下面に結合され、該第三層の下面には複数の下側凹槽を有することを特徴とする請求項１４に記載の複合材料構造体。
【請求項１７】
該第一層と該第二層の中に、一つが布地であり、もう一つがフォーム材料であることを特徴とする請求項１６に記載の複合材料構造体。
【請求項１８】
該第三層は、布地又はフォーム材料であることを特徴とする請求項１７に記載の複合材料構造体。
【考案の詳細な説明】
【技術分野】
【０００１】
本考案は、前部キャップ、後部キャップ、かばん等の製品の製作に使用されるシート状の複合材料構造体に関する技術領域のに適用し、特にその製作を簡単、便利且つ速やかに行えるようにさせ、構造をもっと強固にさせる複合材料構造体に関する。
【背景技術】
【０００２】
普通に、従来の前部キャップ、後部キャップ、かばん等の製品の製作に使用されるシート状の複合材料は、主に一つの布地の基材の上面に１層の接着剤を予め塗布し、該接着剤層の上に１層の熱可塑性材質の面材を貼り付けたことで構成されているため、布地の柔軟性も防水性も有するようにさせる。しかし、接着剤を利用して基材と面材とを結合するような方式では、全体的に分厚いもので運動靴などの製品に対する軽量化要求を満たせず、さらにその結合の製作が複雑になり、時間も労力もかかり、経済的ではない。特に、該接着剤を利用して接着する方式は、平面状の面材を平面状の基材に接着する場合のみ適用され、凹凸のある表面を有する基材については、該接着剤を利用して接着する方式で面材を強固に基材の凹凸のある表面に結合させることができないため、容易に剥離を発生する。
【先行技術文献】
【特許文献】
【０００３】
【特許文献１】特開２０１４−２０２６２７号公報
【考案の概要】
【考案が解決しようとする課題】
【０００４】
従来の複合材料構造体は、製造が複雑であり、時間も労力もかかり、経済的ではなく、構造が強固ではなく面材と基材とが容易に剥離を発生することなどのたくさんの欠点を持っている。
【課題を解決するための手段】
【０００５】
本考案は、上面に複数の凹槽を有し、各凹槽に槽底面と該槽底面の周縁から上面に延伸する槽壁面とを形成する基材と、熱可塑性材質であり、その上半部が耐熱層に形成させ、その下半部が低温溶融層に形成させる面材とからなる複合材料構造体において、該低温溶融層の融点が該耐熱層より低くなり、該面材を該基材の上面に置き、該耐熱層が溶融せずに軟化状態にするが該低温溶融層が溶融するまで該面材を加熱し、さらに負圧の作用に合せることにより、該低温溶融層が該基材の接触面にある毛穴に染み込ませる及び該耐熱層が該基材の上面の形状に沿って伸びさせて該基材の上面、該複数の凹槽の槽壁面、及び該凹槽の槽底面を被覆させることを特徴とする複合材料構造体を提供することになる。
【考案の効果】
【０００６】
本考案による複合材料構造体は、該下半部の低温溶融層の融点が該上半部の耐熱層より低いことに設定することにより、該面材を該基材の上面に置き、該耐熱層が溶融せずに軟化状態にするが該低温溶融層が溶融するまで該面材を加熱し、さらに負圧の作用に合せると、該面材が該基材の上に結合させ、該基材の上面の形状に沿って伸びさせて該基材の上面、及び該複数の凹槽の槽壁面と槽底面を被覆させることができる。従って、その製作を簡単、便利且つ速やかに行えるようにさせ、且つ該面材を強固に凹凸のある表面を有する基材に容易に結合させることはできる。特に該低温溶融層は溶融した後に該基材の接触面にある毛穴に染み込むため、該面材が強固に該基材の上に結合され、剥離を発生する状態が容易ではない。また、該面材と該基材は、結合された後に全体の分厚い及び重量が増加せず、軽量化要求がある運動靴の製作材料とすることが非常に適である。
【図面の簡単な説明】
【０００７】
【図１】本考案の第一実施例を示す分解斜面図である。
【図２】本考案の第一実施例を示す組み拡大斜面図である。
【図３】本考案の第一実施例を示す組み拡大断面図である。
【図４】本考案の第二実施例を示す図である。
【図５】本考案の第三実施例を示す図である。
【図６】本考案の第四実施例を示す図である。
【図７】本考案の基材の第二実施形態を示す図である。
【図８】本考案の基材の第三実施形態を示す図である。
【考案を実施するための形態】
【実施例】
【０００８】
図１〜図３を参照し、本考案の複合材料構造体の第一実施例を示し、該複合材料構造体が基材１と面材２からなる。その中、該基材１は織布、不織布、又はニードルパンチド布などの布地の材料あるいはフォーム材料からなるシート状材料であり、該基材の上面に、任意の形状である複数の凹槽１０を有し、それらの凹槽１０が布地の材料で編み込み成形される又はあるいはフォーム材料でフォーム成形され、即ち形状の設計によって形成され、各凹槽１０に槽底面１１と該槽底面１１の周縁から上面に延伸する槽壁面１２とを形成され、該槽底面１１が貫通状である。
【０００９】
該面材２の材質はＴＰＵ、ＥＶＡ、ＰＵ、又はＴＰＲなどの熱可塑性材質である。該面材２は、その上半部が耐熱層２０に形成され、その下半部２１が低温溶融層に形成され、該低温溶融層２１の融点が該耐熱層２０より２０℃以上低い。
【００１０】
このようにして、該面材２を該基材１の上面に置き、該耐熱層２０が溶融せずに軟化状態にするが該低温溶融層２１が溶融するまで該面材２を加熱し、さらに負圧の作用に合せることにより、該低温溶融層２１が該基材１の接触面にある毛穴に染み込ませる及び該耐熱層２０が該基材１の上面の形状に沿って伸びさせて該基材１の上面、及び該複数の凹槽１０の槽壁面１２と槽底面１１を被覆させる。
【００１１】
本考案による複合材料構造体は、該下半部の低温溶融層２１の融点が該上半部の耐熱層２０より低いことに設定することにより、該面材２を該基材１の上面に置き、該低温溶融層２１を該基材１の上面に接触させ、該耐熱層２０が溶融せずに軟化状態にするが該低温溶融層２１が溶融するまで該面材２を加熱し、さらに負圧の作用に合せると、該面材２が該基材１の上に結合させ、該基材１の上面の形状に沿って伸びさせて該基材１の上面、及び該複数の凹槽１０の槽壁面１２と槽底面１１を被覆させることができる。従って、その製作を簡単、便利且つ速やかに行えるようにさせ、且つ該面材２を強固に凹凸のある表面を有する基材１に容易に結合させることはできる。特に該低温溶融層２１は溶融した後に該基材１の接触面にある毛穴に染み込むため、該面材２が強固に該基材１の上に結合され、剥離を発生する状態が容易ではない。また、該面材２と該基材１は、結合された後に全体の分厚い及び重量が増加せず、軽量化要求がある運動靴の製作材料とすることが非常に適である。
【００１２】
図４を参照し、本考案の複合材料構造体の第二実施例を示す。その構成は上記の第一実施例と大体同じであるが、異なる分は、第二実施例に係る複合材料構造体において、該面材２と該基材１とを結合した後に、針プレート（図に表示せず）を利用し、その上に該面材２と該基材１とを貫通してさらに該複合材料の上、下側面を貫通する複数のミクロ細孔２２を穿設し、該ミクロ細孔２２の穴径が０．００１ｍｍ〜１．０ｍｍであり、該ミクロ細孔２２により該複合材料構造体が良好な通気性を具有させる。
【００１３】
図５を参照し、本考案の複合材料構造体の第三実施例を示す。その構成は上記の第一実施例と大体同じであるが、異なる分は、第三実施例において、該面材２の上面には複数の３次元模様２３を有し、該基材１に結合された後、該複合材料が良好な触感、手触り、及び視覚上の美観を具有させる。
【００１４】
図６を参照し、本考案の複合材料構造体の第四実施例を示す。その構成は上記の第一実施例と大体同じであるが、異なる分は、第四実施例に係る複合材料構造体において、さらに表面層３を有する。該表面層３はめっき膜、レーザーめっき、又はスプレーなどの方式で該面材２の該耐熱層２０の上面に結合されて被覆され、該複数のミクロ細孔２２も該表面層３を貫通する。本考案において、該表面層３はめっき膜、レーザーフィルム、又は反射膜などであり、これにより該複合材料が特別且つ変化の多い模様を具有し、さらにいろいろな異なる視覚効果、触感、及び手触りが発生する。本考案において、必要によって該複数のミクロ細孔２２を設けないこともでき、ここに省略する。
【００１５】
図７を参照し、本考案の複合材料構造体における該基材１の第二実施形態である。該基材１は第一層１ａと第二層１ｂを含む。該複数の凹槽１０が該第一層１ａの上面に形成され、該第二層１ｂの上面が該第一層１ａの下面に結合される又は一体成形され、該複数の凹槽１０の槽底面１１を密閉状態にさせる。該面材２が熱溶融されて該第一層１ａの上面に結合され、該複数の凹槽１０の槽壁面１２及び該第二層１ｂの上面がそれらの凹槽１０の槽底面１１の箇所に対応する。そして、該第一層１ａと該第二層１ｂはいずれも布地又はフォーム材料であり、一つが布地であり、もう一つがフォーム材料であることもできる。
【００１６】
図８を参照し、本考案の複合材料構造体における該基材１の第三実施形態である。その構成は上記の第二実施形態と大体同じであるが、異なる分は、該基材１の第三実施形態において、さらに第三層１ｃを含む。該第三層１ｃの上面が該第二層１ｂの下面に結合され、該第三層１ｃの下面には複数の下側凹槽１０ｃを有し、該第三層が布地又はフォーム材料である。
【００１７】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００１８】
１    基材
１０  凹槽
１１  槽底面
１２  槽壁面
２    面材
２０  耐熱層
２１  低温溶融層
２２  ミクロ細孔
２３  ３次元模様
３    表面層
１ａ  第一層
１ｂ  第二層
１ｃ  第三層
１０ｃ下側凹槽
【図１】
0003196075.tif 000003
【図２】
0003196075.tif 000004
【図３】
0003196075.tif 000005
【図４】
0003196075.tif 000006
【図５】
0003196075.tif 000007
【図６】
0003196075.tif 000008
【図７】
0003196075.tif 000009
【図８】
0003196075.tif 000010